(57)【要約】【課題】意匠性に優れ、良好な顧客吸引力を発揮できるギフト容器を提供する。【解決手段】このギフト容器１は、本体２と、本体２に被せることのできる蓋３からなり、内部に商品を入れることができ、本体２および蓋３は竹を編んで形成されたものであり、本体２に蓋３を嵌合させる部分には、本体リング４と蓋リング５が設けられて、本体リング４に蓋リング５を嵌合させることで、本体２に蓋３を着脱可能に被せることができるように構成されている。【選択図】図１
0003183435.tif 000002
【実用新案登録請求の範囲】
【請求項１】
本体と蓋からなり、内部に商品を入れることのできるギフト容器であって、
前記本体および前記蓋は、竹を編んで形成されている
ことを特徴とするギフト容器。
【請求項２】
竹の編み方が、編み目が六角状となる六ツ目編みであることを特徴とする請求項１に記載のギフト容器。
【請求項３】
前記本体は、上面が開放された略半球状をなし、
前記蓋は、下面が開放された略半球状をなしている
ことを特徴とする請求項１または請求項２に記載のギフト容器。
【請求項４】
前記本体の上面周縁には、段部を有する本体リングが設けられ、
前記蓋の下面周縁には、前記段部に係脱可能に嵌合し得る蓋リングが設けられている
ことを特徴とする請求項１または請求項２または請求項３に記載のギフト容器。
【請求項５】
前記本体リングおよび前記蓋リングは、竹製であることを特徴とする請求項４に記載のギフト容器。
【請求項６】
前記本体リングおよび前記蓋リングに、染め或いは炭化処理が施されていることを特徴とする請求項５に記載のギフト容器。
【請求項７】
前記本体リングと前記蓋リングを繋ぐ繋ぎリングが設けられ、
該繋ぎリングにより、前記本体と前記蓋が開かれた状態でも繋がっていることを特徴とする請求項４に記載のギフト容器。
【請求項８】
前記繋ぎリングは、竹，藤，紐で形成されていることを特徴とする請求項７に記載のギフト容器。
【考案の詳細な説明】
【技術分野】
【０００１】
本考案は、内部に商品を入れることのできる本体と蓋からなるギフト容器に関するものである。
【背景技術】
【０００２】
従来、竹製の容器としては、特許文献１或いは特許文献２に開示されているようなものがある。
【先行技術文献】
【特許文献】
【０００３】
【特許文献１】実公平６−３７９８４号公報
【特許文献２】特開平６−１８９６８５号公報
【考案の概要】
【考案が解決しようとする課題】
【０００４】
上記特許文献１或いは特許文献２に開示されている竹籠構造では、完全に商品を包み込むことはできず、商品を梱包してギフト容器として使用することは困難なものであった。また、従来の構造では、意匠性に乏しく、良好な顧客吸引力を発揮することができないものであった。
【課題を解決するための手段】
【０００５】
本考案は、意匠性に優れ、良好な顧客吸引力を発揮できるギフト容器の提供を目的とし、この目的の少なくとも一部を達成するために以下の手段を採った。
本考案のギフト容器は、本体と蓋からなり、内部に商品を入れることのできるギフト容器であって、前記本体および蓋は、竹を編んで形成されていることを要旨とする。
【考案の効果】
【０００６】
本考案のギフト容器は、本体および蓋で良好に商品を包み込むことができ、竹を編んで形成されているものであるため、意匠性に優れ、土産物等の容器として良好な顧客吸引力を発揮できる。
【０００７】
また、本考案のギフト容器において、竹の編み方が、編み目が六角状となる六ツ目編みであるものとすることもできる。
こうすれば、六ツ目編みであるため、より意匠性が向上したものとなる。
【０００８】
また、本考案のギフト容器において、前記本体は上面が開放された略半球状をなし、前記蓋は下面が開放された略半球状をなしているものとすることもできる。
こうすれば、本体に蓋を被せて閉じた状態では、全体が球状をなし、より良好な意匠性を呈することとなる。
【０００９】
また、本考案のギフト容器において、前記本体の上面周縁には、段部を有する本体リングが設けられ、前記蓋の下面周縁には、前記段部に係脱可能に嵌合し得る蓋リングが設けられているものとすることもできる。
こうすれば、本体上面周縁に設けられている本体リングの段部に、蓋の下面周縁の蓋リングを嵌合させて、本体に対し蓋を確実に固定することができるものとなる。
【００１０】
また、本考案のギフト容器において、前記本体リングおよび蓋リングは竹製であるものとすることもできる。
こうすれば、本体および蓋の全体が竹製であり、高級感を呈するものとなる。
【００１１】
また、本考案のギフト容器において、前記本体リングおよび蓋リングに、染め或いは炭化処理が施されているものとすることもできる。
こうすれば、本体リングおよび蓋リングの部分を、例えば、染めによる黒色、或いは、炭化処理によるスス色として、より高級感を高めることができる。
【００１２】
また、本考案のギフト容器において、前記本体リングと蓋リングを繋ぐ繋ぎリングが設けられ、該繋ぎリングにより、前記本体と前記蓋が開かれた状態でも繋がっているものとすることもできる。
こうすれば、本体から蓋を開けた時に、繋ぎリングにより蓋が離れることがなく、本体と蓋を常に繋ぎリングで繋いで蓋の紛失を防ぐことができるものとなる。
【００１３】
また、本考案のギフト容器において、前記繋ぎリングは、竹，藤，紐で形成されているものとすることもできる。
こうすれば、本体および蓋と一体感をなす竹，藤，紐を用いることにより、全体としての高級感を呈することができるものとなる。
【図面の簡単な説明】
【００１４】
【図１】ギフト容器を閉じた状態の外観斜視構成図である。
【図２】ギフト容器を半開きにした状態の外観斜視構成図である。
【図３】ギフト容器の蓋を完全に開いた状態の外観斜視構成図である。
【図４】繋ぎリングの正面構成図である。
【図５】ギフト容器の蓋を開けて複数のギフト容器を重ねた状態の斜視構成図である。
【考案を実施するための形態】
【００１５】
次に、本考案を実施するための形態を実施例を用いて説明する。
図１は、ギフト容器を閉じた状態を示すものであり、図２は、半開きの状態を示すものであり、図３は、完全に蓋を開けた状態を示すものである。
【００１６】
このギフト容器１は、本体２と蓋３で構成されており、内部に、お菓子や土産物等の商品を入れることができるものである。
本体２および蓋３は、竹ひごＴを編んで形成したものであり、編み目ＴＭが六角形状となる六ツ目編みとなっており、本体２は、上面が開放された略半球状に形成され、蓋３は、下面が開放された略半球状に形成されている。
【００１７】
本体２の上面周縁にはリング状の本体リング４が設けられており、この本体リング４に本体２を構成する竹ひごＴが連結されている。本体リング４は、内側の小径の内部材４ａと外側の大径の外部材４ｂを重ね合わせてリング状に形成されており、外部材４ｂよりも上方へ内部材４ａが立ち上げられて、内部材４ａの外周と外部材４ｂの上端の略水平な面により段部４ｃが形成されている。
【００１８】
一方、蓋３の下面周縁にはリング状の蓋リング５が設けられており、この蓋リング５に蓋３を構成する竹ひごＴが連結されている。この蓋リング５は、本体リング４の段部４ｃに係脱可能に嵌合し得る径に形成されている。即ち、本体２に対し蓋３を被せた状態では、蓋リング５が、本体リング４の内部材４ａの外周と外部材４ｂの上端の略水平な面に当接して、蓋リング５が内部材４ａの外側に嵌合され、嵌合状態では、蓋リング５の外周と本体リング４の外部材４ｂの外周が面一状となるように構成されている。
【００１９】
従って、蓋３を本体２に対し閉じた状態では、全体が球状をなすものである。例えば、本体２と蓋３を閉じた球状態における直径は約１３０ｍｍ程度に設定されている。
なお、完全な球状にしても良いが、本体２の底面側と蓋３の上面側を、ある程度、平らにして形成しても良く、このように、本体２の底面と蓋３の上面を扁平状にした場合は、本体２の底から蓋３の上面に至る高さが９５ｍｍ程度になるように設定しておくことができる。そのような形状では転がりにくくなり、置いた状態が安定したものとなる。
【００２０】
なお、蓋リング５の上下幅寸法は例えば９ｍｍに設定されており、本体２の本体リング４の外部材４ｂの上下幅寸法も９ｍｍに設定されている。また、段部４ｃを構成する外部材４ｂの上端の略水平な面の水平方向寸法は６ｍｍに設定されており、外部材４ｂから立ち上がる内部材４ａの上下寸法は７ｍｍに設定されている。
【００２１】
この蓋リング５および本体リング４は竹製であり、全体が竹製であるため高級感を呈するものとなっている。
なお、蓋リング５および本体リング４には、染め或いは炭化処理を施して、色を付けておいても良く、例えば黒染めにより黒色にしたり、或いは炭化処理によりスス色にしたりしておけば、更に高級感を呈するものとなる。
【００２２】
なお、蓋リング５と本体リング４を繋ぐ繋ぎリング６が２本用いられており、２本の繋ぎリング６，６は、蓋リング５と本体リング４の外周に巻かれたリング状に形成されており、例えば直径が３５ｍｍ程度のリング状をなすものであり、竹製で形成しても、また、藤や他の色紐等を用いたものであっても良い。
【００２３】
この２本の繋ぎリング６は、ギフト容器１の本体２と蓋３の後面側のみに配置しておけば、図２のように、繋ぎリング６，６が配置されていないギフト容器１の前面側を良好に開けることができ、図３のように、完全に蓋３を開けた状態でも、本体２と蓋３を良好に繋ぐことができ、蓋３が本体２と分離して蓋３が紛失されることがなく、蓋３と本体２を常に一体に連結保持しておくことができるものである。
【００２４】
このギフト容器１の内部には、お菓子等の商品を入れて、観光地等の土産物店等で販売することができ、観光客等の目に印象的な「まりも」様の籠として視認され、ギフト容器１の竹製の高級感が得られて、全体として意匠性に優れ、良好な顧客吸引力が発揮されるものである。
【００２５】
なお、このようなギフト容器１は、図３のように蓋３を完全に開けた状態で、図５のように、複数個を積み重ねて梱包し、保管しておくことができ、また、輸送時にもこのように重ね合わせて輸送することができ、スペース効率が良く、輸送コストも低減させることができるものである。
なお、重ね合わせる際に、下段のギフト容器１の本体２上には上段のギフト容器１の蓋３を重ね、下段のギフト容器１の蓋３上には上段のギフト容器１の本体２を重ね合わせてゆくと、省スペースで効率良く重ね合わせることができるものとなる。
【符号の説明】
【００２６】
１  ギフト容器
２  本体
３  蓋
４  本体リング
４ａ  内部材
４ｂ  外部材
４ｃ  段部
５  蓋リング
６  繋ぎリング
Ｔ  竹ひご
ＴＭ  編み目
【図１】
0003183435.tif 000003
【図２】
0003183435.tif 000004
【図３】
0003183435.tif 000005
【図４】
0003183435.tif 000006
【図５】
0003183435.tif 000007